(57)【要約】【課題】  電力供給手段に安定化電圧を得るためのスイッチング・レギュレータが備えられてなるラジオ受信装置において、部品点数が少なく且つ組立・製造が簡便であって、受信手段がスイッチング・レギュレータから輻射ノイズ影響を抑えて良好なＳ／Ｎ比を得ことを目的とする。【解決手段】  スイッチング・レギュレータ６を具備する電力供給手段３を装置本体であるケーシング２の内部に配設し、且つ、アンテナ５を装置本体の外部に設けてそのアンテナ５に受信手段４を内設させ、ケーブル１２を介してラジオ受信の操作を装置本体で行う構成とした。【選択図】  図１
2008054112.tif 000002
【特許請求の範囲】
【請求項１】
スイッチング・レギュレータが具備された電力供給手段と、
その電力供給手段からの電力によって機能して、ラジオ放送を受信する受信手段と、
その受信装置の電波受信を行うアンテナと、が備えられ、
上記電力供給手段は装置本体の内部に配設され、上記アンテナは装置本体の外部に配設され、且つ、そのアンテナに上記受信手段が内蔵配設されたことを特徴とするラジオ受信装置。
【請求項２】
電力供給手段を共通として機能するデジタル回路が備えられてなる請求項１に記載のラジオ受信装置。
【発明の詳細な説明】
【技術分野】
【０００１】
この発明は、安定化電圧を得るためにスイッチング・レギュレータを具備した電力供給手段と、ラジオ放送を受信する受信手段が備えられたラジオ受信装置に関する。
特に、装置の出力のＳ／Ｎ比の向上の改良に関する。
【背景技術】
【０００２】
ラジオ放送を受信するラジオ受信装置は、装置が機能するために必要とする電圧の電力供給手段が必要である。
そして、その電力供給手段力は、スイッチング・レギュレータを具備し、安定した必要な電圧の電力を供給する構成であれば、装置としてより望ましいことになる。
【０００３】
しかし、当該ラジオ受信装置は、その電力供給手段にスイッチング・レギュレータを具備していると、ラジオ放送を受信する際に、前記電力供給手段のスイッチング・レギュレータがスイッチング機能を奏することでスイッチング周波数及びその高調波が受信対象のラジオ放送の受信周波数に近接する場合には、受信中のラジオ放送電波は前記スイッチング周波数及びその高調波から干渉を受けてビートを発生し、結果的に、Ｓ／Ｎ比を著しく悪化させて、良好な受信が得られないという問題が生じる。
つまり、ここでは、スイッチング・レギュレータがノイズ発生源としても機能することになる。
【０００４】
他方、そのラジオ受信装置に、デジタル信号で処理される構成のオーディオ機能が備えられている場合には、装置が機能するのに必要な電力は安定化電圧の電力であることが望ましく強く求められる。
然るに、ラジオ受信においては、スイッチング・レギュレータによってＳ／Ｎ比の悪いノイズを含む受信になる。
以下において、ノイズ発生源となり得るスイッチング電源と受信手段が備えられた装置においてノイズ低減を得る技術として、以下の文献が知られている。
【０００５】
【特許文献１】特開２００３−１７９５０９号公報
【発明の開示】
【発明が解決しようとする課題】
【０００６】
特開２００３−１７９５０９号公報（以下、「先行発明」と称する。）で開示されている技術は、装置本体内の互いに離隔する一端側にノイズ発生源を他端側にチューナをそれぞれ配設し、前記ノイズ発生源はそのノイズ周波数の１桁台の倍数の高調波が前記チューナの受信周波帯域の周波数に対応するような輻射ノイズを発生させ、銅線を数ターンだけ巻いたＡＭループアンテナ本体と前記チューナへ接続ケーブルからなるＡＭループアンテナを備え、前記接続ケーブルは装置本体から特定距離とし且つ表皮部を銅の２芯シールド線で構成し、更に、その接続ケーブルの銅シールドが前記ノイズ発生源の輻射ノイズを取り込んで装置本体のアース部に流出させる構成である。
【０００７】
斯かる構成の先行発明は、ノイズ発生源からノイズが発生し、そのノイズの周波数がチューナの受信周波数と一致してチューナが輻射ノイズから影響を受ける状態になっても、チューナの入力端の前で輻射ノイズはグランドに流れて、輻射ノイズを受信してノイズとして出力することを抑えている。
しかし、先行発明の上述の構成では、部品点数が多くなり、且つ、製造が煩雑であるという問題がある。
【０００８】
この発明は、上述した事情に鑑みて為されたものであり、スイッチング・レギュレータを備えた電力供給手段と、受信手段及びアンテナが備えられたラジオ受信装置において、前記受信手段は前記スイッチング・レギュレータからの輻射ノイズの影響を抑えることが可能で、且つ、構成が簡単であることから部品点数が少なく組立が簡便であることを目的とする。
【課題を解決するための手段】
【０００９】
この発明は、ノイズの発生源となり得る電力供給手段を装置本体内に配設し、且つ、アンテナを装置外部に設けてそのアンテナにラジオの受信手段を内設させて構成したラジオ受信装置である。
その詳細な構成は、スイッチング・レギュレータが具備された電力供給手段と、その電力供給手段からの電力によって機能して、ラジオ放送を受信する受信手段と、その受信装置の電波受信を行うアンテナと、が備えられ、上記電力供給手段は装置本体の内部に配設され、上記アンテナは装置本体の外部に配設され、且つ、そのアンテナに上記受信手段が内蔵配設されたことを特徴とするラジオ受信装置である。
【００１０】
ここで、スイッチング・レギュレータを具備した電力供給手段は、安定した電圧の電力を供給するので、本発明のラジオ受信装置は、デジタル信号処理を必要とする他の機能を付加することに好適である。
具体的には、ＤＶＤ再生手段、ＣＤ再生手段、液晶式プロジェクタ手段等に用いられるデジタル回路が挙げられる。
【００１１】
スイッチング・レギュレータの機能時のＯＮ／ＯＦＦ切り換えの周波数は、具体的に、２０ｋＨｚ〜１ＭＨｚが挙げられるが、実施の形態においては１００ｋＨｚ〜３００ｋＨｚが挙げられる。
他方、受信手段の受信帯域は、具体的に、５２０ｋＨｚ〜１７１０ｋＨｚが挙げられる。
【００１２】
アンテナは、具体的に、ループアンテナが挙げられる。
ループアンテナは、ループ状のアンテナ本体と、アンテナ本体を支持するベース体と、装置本体と接続するケーブルから主に構成されている。
【００１３】
受信手段のアンテナの内設は、具体的に、前記ベース体の内部に受信手段が配設される構成が挙げられる。
ここで、受信手段はノイズ発生源である電力供給手段から離隔するほど電力供給手段からのノイズを拾わないことになるので、前記ケーブルは長い程ノイズを拾わないことになる。しかし、その場の実用性に合わせて、前記ケーブルの長さは適宜選択するのがよい。
【発明の効果】
【００１４】
この発明は、スイッチング・レギュレータを備えてノイズ発生源となり得る電力供給手段を装置本体内に備えると共に、装置外部に設けたアンテナに受信手段を内設させて構成したことにより、受信手段はノイズ発生源から大きく離隔されていることから輻射ノイズの影響を低く抑えることが可能になり、よって、受信のＳ／Ｎが良好であって、且つ、構成が簡単であることから、部品点数が少なく且つ組立・製造が簡便なラジオ受信装置である。
【発明を実施するための最良の形態】
【００１５】
この発明を、以下において図面に示す最良の形態に基づき詳述する。しかし、この形態によって、この発明が限定されるものではない。
ラジオ受信装置１は、装置本体であるケーシング２と、電力供給手段３と、受信手段４と、アンテナ５が備えられている。
【００１６】
ケーシング２は金属材料からなり、輻射ノイズが可能な限りケーシング２の外部に漏れるのを防ぐようになっている。
但し、装置が機能している際に装置内部から発する熱の放熱を促進するために、必要最小限の通孔（図示省略）が開設されている。
【００１７】
電力供給手段３は、家庭電力を受けて装置が機能するのに必要な所望電圧の直流電力を供給するものであって、ケーシング２の内部に配設されている。
電力供給部３は、家庭電力を入力する端子、電力を供給するための導線等に加えて、強く安定化した電圧の電力を供給するためのスイッチング・レギュレータ６が具備されている。
【００１８】
スイッチング・レギュレータ６は、ダイオード７、トランス８、コンデンサ９等を備えて構成されている。
スイッチング・レギュレータ６がレギュレート機能を行う際は、周波数が１００ｋＨｚ〜３００ｋＨｚのスイッチング（ＯＮ／ＯＦＦ切り換え）を行うものである。
尚、スイッチング・レギュレータ６のスイッチング周波数は、必要とするレギュレートの状態の電力に合わせて２０ｋＨｚ〜１ＭＨｚの間で設定するのがよい。
【００１９】
受信手段４は、周波数が５２０ｋＨｚ〜１７１０ｋＨｚのラジオ放送の電波の受信を行うものである。
アンテナ５は、形状がほぼループ形状のアンテナ本体１０と、アンテナ本体１０を支持するベース体１１が備えられている。
受信手段４は、アンテナ５のベース体１１の内部に配設されている。
【００２０】
アンテナ本体１０は、ベース体１１に対して正逆両方向（図面中の矢印方向）に回転可能であって、電波の受け取り易い方向を選択できる構成になっている。
受信手段４は、アンテナ本体１０と接続されている。
【００２１】
又、受信手段４は、装置本体に接続され、制御信号及び電力供給を受け取るため、ラジオ受信に係る音声信号を送るため等のケーブル１２が備えられている。
ケーシング２には、ＤＶＤ記録媒体を再生するＤＶＤ再生手段（図示省略）が備えられている。１３は、前記ＤＶＤ再生手段のＤＶＤ記録媒体載置用のトレーの先端カバーである。
【００２２】
ケーシング２のフロント面は、操作パネル１４になっている。そして、操作パネル１４に、液晶表示パネル１５が組み込まれている。
ユーザーが操作パネル１４から操作を行うことにより、ケーブル１２を介して、制御信号及び電力供給手段３からの必要な電力が受信手段４に送られる構成になっている。
【００２３】
ラジオ受信装置１は、上述したように構成されている。以下において、ラジオ受信装置１の機能を説明する。
ユーザーは、電源コード（図示省略）を家庭電源に接続した後、操作パネル１４を操作して電源スイッチをＯＮにする。
【００２４】
ここで、電力供給手段３に家庭電力が供給されてスイッチング・レギュレータ６に電力が供給されると、スイッチング・レギュレータ６はレギュレータ機能を奏して安定した電圧の電力を出力するように機能する。
このスイッチング・レギュレータ６のレギュレータ機能は周波数が１００ｋＨｚ〜３００ｋＨｚのスイッチングによって行われるが、このスイッチングの際に周波数が１００ｋＨｚ〜３００ｋＨｚ及びその高調波の輻射ノイズが発生する。
【００２５】
ここで、ユーザーが操作パネル１４を操作してラジオ放送の受信に設定すると、ケーブル１２を介して受信手段４に制御信号が送られ、結果的に、受信手段４が機能する。
この時、仮に、スイッチング・レギュレータ６のスイッチング周波数が２００ｋＨｚであって、ユーザーが受信手段４で選局した放送周波数が１０００ｋＨｚである場合に、スイッチング・レギュレータ６から前記スイッチング周波数に対して１０００ｋＨｚの高調波も出力される。
【００２６】
スイッチング・レギュレータ６からの周波数が１０００ｋＨｚの高調波は、不特定の方向に進み、ケーシング２の内部から外部に進もうとする。
しかし、スイッチング・レギュレータ６からの前記高調波の多くは、ケーシング２が金属で作られていることから、ケーシング２によって遮られてケーシング２の外部に進むことはない。
【００２７】
スイッチング・レギュレータ６からの前記高調波のごく一部は、ケーシング２に開設された前記放熱用の通孔を介して、ケーシング２の外部に漏れることになる。
しかし、前記放熱用の通孔に対するアンテナ５が位置している方向と前記高調波の進行方向は通常一致し難いので、前記放熱用の通孔を介してケーシング２の外部に漏れた高調波がアンテナ５に到り、結果的に、受信手段４に受信されることは殆ど生じない。
【００２８】
従って、受信手段４をケーシング２の内部に配設する場合に比べて、スイッチング・レギュレータ６からの輻射ノイズの影響を受けることが極めて少なく、その分、Ｓ／Ｎ比が良好になっている。
しかも、ラジオ受信装置１は、輻射ノイズを消滅させるための部品を必要とせず、よって、組立・製造も簡便になっている。
【００２９】
ラジオ受信装置１は、ＤＶＤ再生手段を備えて構成されているが、安定化電圧の電力を必要とするデジタル回路、具体的にはＣＤ再生手段、液晶式プロジェクタ手段等を含む構成であってもよい。
上述の例では、受信手段４の選局の周波数が１０００ｋＨｚであって、且つ、スイッチング・レギュレータ６のスイッチング周波数が２００ｋＨｚで高調波の周波数が１０００ｋＨｚがあるが、受信手段４の選局周波数が他の周波数であって、スイッチング・レギュレータ６のスイッチング周波数及びその高調波の周波数が選局周波数と同じ若しくは極めて近似の場合であっても、上述した効果を得ることができる。
【図面の簡単な説明】
【００３０】
【図１】この発明の実施の形態を示す一部切り欠きを含む斜視図である。
【符号の説明】
【００３１】
１        ：ラジオ受信装置
２        ：ケーシング
３        ：電力供給手段
４        ：受信手段
５        ：アンテナ
６        ：スイッチング・レギュレータ
１２      ：ケーブル
１４      ：操作パネル
【図１】
2008054112.tif 000003